(57)【要約】【課題】仕切り板を安定した角度姿勢で保持させることができ、携帯電話機などの被収納物品の収納時の作業性の向上を図るようにした包装用トレーを提供する。【解決手段】厚紙により作られてなる平面形状が長方形の包装用トレーであって、底板１０と、この底板１０の長辺側の対向側辺に繋がる長辺側の対向側板１１と、この底板１０の短辺側の対向側辺に繋がる短辺側の対向側板６とからなり、底板１０の幅方向全長ならびに長辺側の対向側板１１の下端に跨って形成された切り込みで囲まれ折曲線１３で起立可能な仕切り板１４を底板１０の長さ方向適当間隔おきに備え、前記長辺側の対向側板１１に前記折曲線１３と同一線上に仕切り板１４の両端を係合させるための係合孔１１ａを備えている。【選択図】    図３
2005255172.tif 000002
【特許請求の範囲】
【請求項１】
厚紙により作られてなる平面形状が長方形の包装用トレーであって、底板と、この底板の長辺側の対向側辺に繋がる長辺側の対向側板と、この底板の短辺側の対向側辺に繋がる短辺側の対向側板とからなり、底板の幅方向全長ならびに長辺側の対向側板の下端に跨って形成された切り込みで囲まれ折曲線で起立可能な仕切り板を底板の長さ方向適当間隔おきに備え、前記長辺側の対向側板に前記折曲線と同一線上に仕切り板の両端を係合させるための係合孔を備えていることを特徴とする包装用トレー。
【請求項２】
周囲の板体と中央の板体とからなり、周囲の板体は上端周囲を囲むように設けられる細幅の天板と、短辺側の対向側辺に位置する天板部の内側の辺に連設された短辺側の対向側板と、この対向側板の下端に連設された糊代板と、前記短辺側の対向側辺に位置する天板部および長辺側の対向側辺に位置する天板部の外側の辺に連設された下向きの折り曲げ片とから構成され、前記中央の板体は長さ方向両端部が前記周囲の板体の糊代板上に載って接着剤により接合される底板と、この底板の長辺側の対向側辺に連設された長辺側の対向側板と、この対向側板の上端に連設され前記周囲の板体の長辺側の対向側辺に位置する天板部上に載って接着剤により接合される糊代板とから構成されていることを特徴とする請求項１記載の包装用トレー。
【発明の詳細な説明】
【技術分野】
【０００１】
本発明は、例えば携帯電話機およびその付属品などの製品や他の電器製品などを梱包時に緩衝保護するための包装用トレーに関するものである。
【背景技術】
【０００２】
従来のこの種包装用トレーとしては、例えば特許文献１に開示されているような携帯電話などの包装用トレーが知られている。この特許文献１に開示されている包装用トレーは、携帯電話などの被収納物を複数個並べてセットし包装箱内に収納するようにした携帯電話などのトレーであって、段ボール板により作られ、平面形状が長方形のベースと、このベースの一組の対向側辺に連設された側板と、ベースの他の組の対向側辺の一方に連設された側板と、ベースの他の組の対向側辺の他方の側において折り曲げられて形成されるほぼ角筒状部分と、前記ベースと前記ベースの他の組の対向側辺の一方に連設された側板にまたがって切り込み部を形成することによりベース上に適当間隔おきに立ち上がる複数枚の仕切り板とを備え、前記ベースの一組の対向側辺に連設された側板と複数枚の仕切り板とにより複数個の収納空間が形成されるように構成され、前記ほぼ角筒状部分に適当間隔おきに形成されている開口部に収納空間内に収められた各携帯電話のアンテナが収まるように構成されてなるものである。
【特許文献１】特開２０００−２５５５５８号公報
【発明の開示】
【発明が解決しようとする課題】
【０００３】
上記従来の包装用トレーの構成では、仕切り板はベースとこのベースの他の組の対向側辺の一方に連設された側板にまたがって切り込み部を形成することによりベース上に適当間隔おきに立ち上がるように構成されているのであるが、この仕切り板は一端がベースの他の組の対向側辺の一方に連設された側板側に連設されているものの他端には連設されているものがなく所謂片持ち状となっており、仕切り板は立ち上がり状態での角度姿勢が安定せず、収納空間内に携帯電話を収納する際に仕切り板を真直ぐ上に向くように姿勢を修正しながら作業を行なわなければならず、作業性が悪いという問題があった。
【０００４】
本発明の目的は、このような課題を解決するものであり、仕切り板を安定した角度姿勢で保持させることができ、携帯電話機などの被収納物品の収納時の作業性の向上を図るようにした包装用トレーを提供することにある。
【課題を解決するための手段】
【０００５】
本発明の請求項１に記載の包装用トレーは、厚紙により作られてなる平面形状が長方形の包装用トレーであって、底板と、この底板の長辺側の対向側辺に繋がる長辺側の対向側板と、この底板の短辺側の対向側辺に繋がる短辺側の対向側板とからなり、底板の幅方向全長ならびに長辺側の対向側板の下端に跨って形成された切り込みで囲まれ折曲線で起立可能な仕切り板を底板の長さ方向適当間隔おきに備え、前記長辺側の対向側板に前記折曲線と同一線上に仕切り板の両端を係合させるための係合孔を備えていることを特徴とする。
【０００６】
請求項２に記載の包装用トレーは、周囲の板体と中央の板体とからなり、周囲の板体は上端周囲を囲むように設けられる細幅の天板と、短辺側の対向側辺に位置する天板部の内側の辺に連設された短辺側の対向側板と、この対向側板の下端に連設された糊代板と、前記短辺側の対向側辺に位置する天板部および長辺側の対向側辺に位置する天板部の外側の辺に連設された下向きの折り曲げ片とから構成され、前記中央の板体は長さ方向両端部が前記周囲の板体の糊代板上に載って接着剤により接合される底板と、この底板の長辺側の対向側辺に連設された長辺側の対向側板と、この対向側板の上端に連設され前記周囲の板体の長辺側の対向側辺に位置する天板部上に載って接着剤により接合される糊代板とから構成されていることを特徴とする。
【発明の効果】
【０００７】
以上のように、本発明の包装用トレーは、長辺側の対向側板を起立させると同時に仕切り板も起立させて仕切り板の両端を長辺側の対向側板の係合孔に係合させるようになっているので、仕切り板を安定した角度姿勢で保持させることができ、携帯電話機などの被収納物品の収納時の作業性の向上を図ることができる。
【発明を実施するための最良の形態】
【０００８】
以下、本発明の実施の形態を、図面に基づいて説明する。
先ず、図１〜図４に示す第１の実施の形態について説明すると、１は周囲の板体２と中央の板体３と、付属品収納空間形成用の差し込み片４とからなる平面形状が長方形の包装用トレーで、厚紙例えば薄型の段ボール板により作られている。
【０００９】
前記周囲の板体２は上端周囲を囲むように設けられる細幅の天板５と、短辺側の対向側辺に位置する天板部５ａ，５ａの内側の辺に連設された短辺側の対向側板６，６と、この対向側板６，６の下端に連設された糊代板７，７と、前記短辺側の対向側辺に位置する天板部５ａ，５ａおよび長辺側の対向側辺に位置する天板部５ｂ，５ｂの外側の辺に連設された下向きの折り曲げ片８，８および９，９とから構成されている。
【００１０】
また、前記中央の板体３は長さ方向両端部が前記板体２の糊代板７，７上に載って接着剤により接合される底板１０と、この底板１０の長辺側の対向側辺に連設された長辺側の対向側板１１，１１と、この対向側板１１，１１の上端に連設され前記板体２の長辺側の対向側辺に位置する天板部５ｂ，５ｂ上に載って接着剤により接合される糊代板１２とからなり、展開状態において底板１０の幅方向全長ならびに長辺側の対向側板１１，１１の下端に跨って形成された切り込みで囲まれ折曲線１３で起立可能な仕切り板１４を底板１０の長さ方向適当間隔おきに備え、前記対向側板１１，１１に前記折曲線１３と同一線上に仕切り板１４の両端を係合させるための係合孔１１ａ，１１ａを備えている。
【００１１】
上記構成において、中央の板体３の底板１０を周囲の板体２の糊代板７，７に接着剤により接合させるとともに、中央の板体３の糊代板１２を周囲の板体２の天板部５ｂ，５ｂに接着剤により接合させることにより包装用トレー１が組み立てられる。この際、予め中央の板体３の長辺側の対向側板１１，１１を起立させると同時に仕切り板１４も起立させて仕切り板１４の両端を対向側板１１，１１の係合孔１１ａ，１１ａに係合させておき、この状態で中央の板体３を周囲の板体２に接合させる。
【００１２】
中央の板体３を周囲の板体２に接合させることにより作られた包装用トレー１には図面に示す実施の形態では５つの収納空間１５を備えている。そして、包装用トレー１内部の幅方向一端近傍において、前記周囲の板体２の天板部５ａ，５ａと対向側板６に跨って形成されたスリット１６および前記仕切り板１４に上端より形成されたスリット１７に前記差し込み片４の下端より形成されたスリット１８を係合させることにより、各収納空間１５に隣接して付属品収納空間１９が形成される。そして、各収納空間１５には携帯電話機本体を収納し、付属品収納空間１９には電池パックを収納するようになっている。
【００１３】
以上述べた第１の実施の形態の包装用トレー１にあっては包装用トレー１内部の幅方向一端近傍において差し込み片４をセットして付属品収納空間１９を形成するようになっているが、この付属品収納空間を不要なものにあっては形成する必要がない。
【００１４】
次に、図５〜図８に示す第２の実施の形態について説明すると、前記第１の実施の形態の包装用トレー１にあっては包装用トレー１内部の幅方向一端近傍において差し込み片４をセットして付属品収納空間１９を形成しているが、第２の実施の形態の包装用トレー１にあっては周囲の板体２の長辺側の対向側辺に位置する天板部５ｂ，５ｂとその外側の辺に連設された下向きの折り曲げ片９，９とに跨って左右一対で互いに内側に向いて湾曲する切り込み２０ａ，２０ａを形成するとともにこの切り込み２０ａ，２０ａ間において下向きの折り曲げ片９の下端近傍に上向き半円形の切り込み２０ｂを形成し、前記切り込み２０ａ，２０ａの下端と上向き半円形の切り込み２０ｂの下端との間および上向き半円形の切り込み２０ｂの上端位置における前記切り込み２０ａ，２０ａ間で折り曲げ片９に罫線２１ａ，２１ｂを形成し、また切り込み２０ａ，２０ａの上端間で天板部５ｂに罫線２１ｃを形成してあり、これにより天板部５ｂに対して折り曲げ片９を直角に下向きに折り曲げたとき切り込み２０ａ，２０ａの外側および切り込み２０ｂの下側に付属品の倒れ防止用の爪片２２ａおよび２２ｂを備えた付属品収納空間２３が形成されるようになる。他の構成は前記第１の実施の形態の包装用トレー１と同じである。
【００１５】
ところで、以上述べた２つの実施の形態では包装用トレー１を周囲の板体２と中央の板体３とにより、つまり２枚の板体により構成したが、１枚の薄型の段ボール板よりなる板体を折り曲げて成形することによっても包装用トレーを形成することができる。
【００１６】
以下に、１枚の薄型の段ボール板よりなる包装用トレーの実施の形態について説明する。
先ず、図９〜図１０に示す第３の実施の形態について説明すると、この第３の実施の形態の包装用トレー１は、底板２４と、この底板２４の長辺側の対向側辺に連設された長辺側の対向側板２５，２５と、この底板２４の短辺側の対向側辺に連設された短辺側の対向側板２６，２６と、この短辺側の対向側板２６，２６の両端に連設された糊代片２７，２７とからなり、展開状態において底板２４の幅方向全長ならびに長辺側の対向側板２５，２５の下端に跨って形成された切り込みで囲まれ折曲線２８で起立可能な仕切り板２９を底板２４の長さ方向適当間隔おきに備え、前記長辺側の対向側板２５，２５に前記折曲線２８と同一線上に仕切り板２９の両端を係合させるための係合孔２５ａ，２５ａを備えている。そして、短辺側の対向側板２６，２６の両端に連設された糊代片２７，２７を長辺側の対向側板２５，２５の両端内面に接着剤により接合させることにより包装用トレー１が組み立てられる。この際、長辺側の対向側板２５，２５を起立させると同時に仕切り板２９も起立させて仕切り板２９の両端を長辺側の対向側板２５，２５の係合孔２５ａ，２５ａに係合させることは前記第１の実施の形態の包装用トレー１と同様である。
【００１７】
次に、図１１〜図１２に示す第４の実施の形態について説明すると、この第４の実施の形態の包装用トレー１は、前記第３の実施の形態の包装用トレーにおいて、短辺側の対向側板２６，２６の両端に連設された糊代片を長辺側の対向側板２５，２５の両端内面に接着剤により接合させず、２組の対向側板２５，２５および２６，２６の上端に連設された天板部３０ａ，３０ａおよび３０ｂ，３０ｂと、これら天板部３０ａ，３０ａおよび３０ｂ，３０ｂの外側の辺に連設された下向きの折り曲げ片３１，３１および３２，３２を備え、短辺側の対向側板２６，２６の上端に連設された天板部３０ｂ，３０ｂの両端に連設された糊代片３０ｃ，３０ｃを長辺側の対向側板２５，２５の上端に連設された天板部３０ａ，３０ａの両端に上から重ねて接着剤により接合させることにより包装用トレー１が組み立てられるようになっている。他の構成は前記第３の実施の形態の包装用トレー１と同様である。
【００１８】
次に、図１３〜図１５に示す第５の実施の形態について説明すると、この第５の実施の形態の包装用トレー１は、前記第３の実施の形態の包装用トレーにおいて、短辺側の対向側板２６，２６の両端に連設された糊代片を長辺側の対向側板２５，２５の両端内面に接着剤により接合させず、長辺側の対向側板２５，２５を、底板２４側に繋がる外側の側板部２５ｂと、この側板部２５ｂに繋がる内側の側板部２５ｃとの２重構造とし、また短辺側の対向側板２６，２６も、底板２４側に繋がる外側の側板部２６ａと、この側板部２６ａに繋がる内側の側板部２６ｂとの２重構造とし、前記２重構造の長辺側の側板部２５ｂ，２５ｃの両端にそれぞれ折り曲げ片３３ａ，３３ｂを連設し、この折り曲げ片３３ａ，３３ｂを前記短辺側の側板部２６ａ，２６ｂ間で挟み、短辺側の内側の側板部２６ｂの両端に形成された爪片２６ｃを前記長辺側の内側の側板部２５ｃと折り曲げ片３３ｂとの間に形成されたスリット３４に係止させることにより包装用トレー１が組み立てられるようになっている。なお、この包装用トレー１において長辺側の内側の側板部２５ｃにも外側の側板部２５ｂと同様に仕切り板２９の両端を係合させる係合孔２５ｄが形成されてあり、仕切り板２９の両端を２重構造の長辺側の側板部２５ｂ，２５ｃの係合孔２５ａ，２５ｄに同時に係合させるようになっている。他の構成は前記第３の実施の形態の包装用トレー１と同様である。この第５の実施の形態の包装用トレー１にあっては、組み立てに際し、接着剤は不要である。
【００１９】
以上のように、本発明の包装用トレー１は、長辺側の対向側板を起立させると同時に仕切り板も起立させて仕切り板の両端を長辺側の対向側板の係合孔に係合させるようになっているので、仕切り板を安定した角度姿勢で保持させることができ、携帯電話機などの被収納物品の収納時の作業性の向上を図ることができる。
【図面の簡単な説明】
【００２０】
【図１】本発明の第１の実施の形態における包装用トレーの展開図である。
【図２】同包装用トレーの組み立て途中の状態を示す斜視図である。
【図３】同包装用トレーの組み立て完成状態を示す斜視図である。
【図４】同包装用トレーの断面図である。
【図５】本発明の第２の実施の形態における包装用トレーの展開図である。
【図６】同包装用トレーの組み立て途中の状態を示す斜視図である。
【図７】同包装用トレーの組み立て完成状態を示す斜視図である。
【図８】同包装用トレーの要部拡大図である。
【図９】本発明の第３の実施の形態における包装用トレーの展開図である。
【図１０】同包装用トレーの組み立て完成状態を示す斜視図である。
【図１１】本発明の第４の実施の形態における包装用トレーの展開図である。
【図１２】同包装用トレーの組み立て完成状態を示す斜視図である。
【図１３】本発明の第５の実施の形態における包装用トレーの展開図である。
【図１４】同包装用トレーの組み立て途中の状態を示す斜視図である。
【図１５】同包装用トレーの組み立て完成状態を示す斜視図である。
【符号の説明】
【００２１】
１                      包装用トレー
２                      周囲の板体
３                      中央の板体
４                      差し込み片
５                      天板
５ａ，５ｂ              天板部
６                      側板
７                      糊代板
８，９                  折り曲げ片
１０                      底板
１１                      側板
１１ａ                    係合孔
１２                      糊代板
１３                      折曲線
１４                      仕切り板
１５                      収納空間
１６，１７，１８          スリット
１９                      付属品収納空間
２０ａ，２０ｂ            切り込み
２１ａ，２１ｂ，２１ｃ    罫線
２２ａ，２２ｂ            爪片
２３                      付属品収納空間
２４                      底板
２５，２６                側板
２５ａ，２５ｄ            係合孔
２５ｂ，２５ｃ            側板部
２６ａ，２６ｂ            側板部
２６ｃ                    爪片
２７                      糊代片
２８                      折曲線
２９                      仕切り板
３０ａ，３０ｂ            天板部
３０ｃ                    糊代片
３１，３２                折り曲げ片
３３ａ，３３ｂ            折り曲げ片
３４                      スリット
【図１】
2005255172.tif 000003
【図２】
2005255172.tif 000004
【図３】
2005255172.tif 000005
【図４】
2005255172.tif 000006
【図５】
2005255172.tif 000007
【図６】
2005255172.tif 000008
【図７】
2005255172.tif 000009
【図８】
2005255172.tif 000010
【図９】
2005255172.tif 000011
【図１０】
2005255172.tif 000012
【図１１】
2005255172.tif 000013
【図１２】
2005255172.tif 000014
【図１３】
2005255172.tif 000015
【図１４】
2005255172.tif 000016
【図１５】
2005255172.tif 000017